(57)【要約】【課題】外部機器との間で無線通信を行う場合に、当該通信の進捗状況を利用者に通知することのできる時計及び通信システムを提供する。【解決手段】時計１００は、ケース２と、ケース２の視認側に配置された文字板５を含む時計表示部と、ケース２内かつ文字板５の裏面側に文字板５とほぼ平行に配置されたバーアンテナ７を含み、アンテナコイル９２を備えたリーダ／ライタ装置９が、文字板５の一部の上に重なるようにかざされることにより、リーダ／ライタ装置９との間で通信可能に構成されたＮＦＣタグと、文字板５のうちリーダ／ライタ装置９のかざされた側とは反対側の領域により、ＮＦＣタグとリーダ／ライタ装置９との通信状態を通知させるように時計表示部の動作を制御する時計制御部とを備えている。【選択図】図２
2018066756.tif 000002
【特許請求の範囲】
【請求項１】
ケースと、前記ケースの視認側に配置された文字板を含む表示部と、
前記ケース内かつ前記文字板の裏面側に前記文字板とほぼ平行に配置されたアンテナを含み、コイルを備えたリーダ／ライタ装置が、前記文字板の一部の上に重なるようにかざされることにより、前記リーダ／ライタ装置との間で通信可能に構成された通信部と、
前記文字板のうち前記リーダ／ライタ装置のかざされた側とは反対側の領域により、前記通信部と前記リーダ／ライタ装置との通信状態を通知させるように前記表示部の動作を制御する制御部と、
を備えていることを特徴とする時計。
【請求項２】
前記アンテナはバーアンテナであり、
前記ケースは導電性部材により形成され、前記文字板は非導電性部材により形成されており、
前記バーアンテナは２本設けられており、互いに直交するように配置されていることを特徴とする請求項１に記載の時計。
【請求項３】
前記アンテナはバーアンテナであり、
前記バーアンテナは３本以上設けられ、前記文字板の中心から放射状に配置されていることを特徴とする請求項１に記載の時計。
【請求項４】
前記表示部は、指針及び／又は日車を備え、
前記制御部は、前記指針の動き及び／又は前記日車による日付表示の変化を制御することにより前記通信状態を通知させることを特徴とする請求項１から請求項３のいずれか一項に記載の時計。
【請求項５】
前記表示部は、前記文字板を照明する光源を備え、
前記制御部は、前記光源の発光を制御することにより前記通信状態を通知させることを特徴とする請求項１から請求項４のいずれか一項に記載の時計。
【請求項６】
前記制御部は、前記文字板における０時から６時側の半分の範囲内において前記通信状態を通知させるように前記表示部の動作を制御することを特徴とする請求項１から請求項５のいずれか一項に記載の時計。
【請求項７】
二次電池を備え、
前記表示部は、前記二次電池の充電状態を通知可能となっていることを特徴とする請求項１から請求項６のいずれか一項に記載の時計。
【請求項８】
前記文字板と前記アンテナとの間に配置され、前記アンテナの両端側の上部が切り欠かれた、又は、穴を開けられたソーラーパネルを備えていることを特徴とする請求項１から請求項７のいずれか一項に記載の時計。
【請求項９】
前記ケースは、金属材料を含む枠体と、金属材料を含む裏蓋と、を備えていることを特徴とする請求項１から請求項８のいずれか一項に記載の時計。
【請求項１０】
請求項１から請求項９のいずれか一項に記載の時計と、
前記リーダ／ライタ装置と、
を備えていることを特徴とする通信システム。
【発明の詳細な説明】
【技術分野】
【０００１】
本発明は、時計に関し、特に無線通信機能を有する時計及び通信システムに関するものである。
【背景技術】
【０００２】
従来、ＮＦＣ（Near Field Communication、近距離無線通信）等の比較的近距離で通信を行う無線通信技術が広く知られている。  ＮＦＣは、非接触ＩＣカードインターフェースの規格としてＩＳＯ（国際標準化機構）で規定された国際標準の無線通信技術であり、ＮＦＣに対応するアンテナを備える機器にリーダ／ライタを内蔵する機器（リーダ／ライタ装置）をかざすことで簡易かつ迅速に近距離での無線通信を行うことができる。
【０００３】
例えば特許文献１等には、このような無線通信を時計（腕時計）と外部機器との間で行うことが提案されている（参照）。
【先行技術文献】
【特許文献】
【０００４】
【特許文献１】特開２０００−２８６７６１号公報
【発明の概要】
【発明が解決しようとする課題】
【０００５】
しかしながら、ＮＦＣに対応するアンテナの設けられている位置や、リーダ／ライタの設けられている位置は、機器の外部から分かりにくい。
このため、ＮＦＣによる通信を行おうとした場合に、利用者はどのような位置にリーダ／ライタ装置をかざせばよいかが分かりにくく、通信の成立状況（すなわち、通信が正常に行われているか否か）が確認できないという問題がある。
【０００６】
また、通信が完了したか等の通信の進捗状況は、機器にリーダ／ライタ装置をかざすだけでは分からない。
このため、すでに通信が完了しているのに無駄に長時間リーダ／ライタ装置をかざしていたり、通信が完了していないのに利用者がリーダ／ライタ装置の位置をずらしてしまい、途中で通信が切断されてデータ処理に失敗するおそれがあるとの問題もある。
【０００７】
本発明は以上のような事情に鑑みてなされたものであり、外部機器との間で無線通信を行う場合に、当該通信の進捗状況を利用者に通知することのできる時計及び通信システムを提供することを目的とするものである。
【課題を解決するための手段】
【０００８】
前記課題を解決するために、本発明に係る時計は、
ケースと、前記ケースの視認側に配置された文字板を含む表示部と、
前記ケース内かつ前記文字板の裏面側に前記文字板とほぼ平行に配置されたアンテナを含み、コイルを備えたリーダ／ライタ装置が、前記文字板の一部の上に重なるようにかざされることにより、前記リーダ／ライタ装置との間で通信可能に構成された通信部と、
前記文字板のうち前記リーダ／ライタ装置のかざされた側とは反対側の領域により、前記通信部と前記リーダ／ライタ装置との通信状態を通知させるように前記表示部の動作を制御する制御部と、
を備えていることを特徴としている。
【０００９】
また、本発明に係る通信システムは、
請求項１から請求項９のいずれか一項に記載の時計と、
前記リーダ／ライタ装置と、
を備えていることを特徴としている。
【発明の効果】
【００１０】
本発明によれば、外部機器との間で無線通信を行う場合に、当該通信の進捗状況を利用者に通知することができるという効果を奏する。
【図面の簡単な説明】
【００１１】
【図１】（ａ）は、第１の実施形態における時計の正面図である。（ｂ）は、（ａ）におけるｂ-ｂ線に沿う時計の断面図である。（ｃ）は、（ａ）に示す時計に設けられるバーアンテナの平面図である。
【図２】（ａ）は、第１の実施形態の時計とリーダ／ライタ装置との関係を示す図である。（ｂ）は、従来例の時計とリーダ／ライタ装置との関係を示す図である。
【図３】（ａ）は、時計の下側（６時側）からリーダ／ライタ装置を近接させた場合を示す模式図である。（ｂ）は、時計の左側（９時側）からリーダ／ライタ装置を近接させた場合を示す模式図である。（ｃ）は、時計とリーダ／ライタ装置との上下方向の位置関係を示す図である。
【図４】（ａ）は、第１の実施形態の時計及びリーダ／ライタ装置の要部ブロック図である。（ｂ）は、（ａ）における時計表示部の詳細を示す要部ブロック図である。
【図５】（ａ）は、第１の実施形態の時計及びリーダ／ライタ装置の通信の最適位置を示す図である。（ｂ）は、通信の最適位置を針の動きで示す場合の針の動きと通信の最適位置との関係を示す説明図である。（ｃ）は、通信の最適位置における針の動きの一例を示す図である。（ｄ）は、通信の最適位置を日窓の日付表示で示す場合の日付表示の変化の一例を示す図である。
【図６】（ａ）は、第１の実施形態の時計及びリーダ／ライタ装置の通信の最適位置を示す図である。（ｂ）は、通信の最適位置を光源による照明で示す場合の照明の明るさと通信の最適位置との関係を示す説明図である。（ｃ）から（ｅ）は、リーダ／ライタ装置のかざされる位置と照明の明るさとの関係の一例を示す図である。
【図７】（ａ）は、第２の実施形態における時計及びリーダ／ライタ装置の要部ブロック図である。（ｂ）は、（ａ）におけるＮＦＣタグ及び時計電源部の詳細を示す要部ブロック図である。
【図８】第２の実施形態における時計及びリーダ／ライタ装置における通信及び信号の流れを示すシーケンス図である。
【図９】（ａ）は、Ｒ／Ｗ表示部に表示される初期画面の一例を示す図である。（ｂ）は、Ｒ／Ｗ表示部に表示される時刻設定画面の一例を示す図である。（ｃ）は、Ｒ／Ｗ表示部に表示される時計充電画面の一例を示す図である。
【図１０】（ａ）から（ｅ）は、Ｒ／Ｗ表示部に表示される時計充電画面の一例を示す図である。
【図１１】（ａ）は、第３の実施形態における時計の正面図である。（ｂ）は、時計に対して右側（時計の３時側）からリーダ／ライタ装置をかざした場合を示す平面図である。（ｃ）は、時計に対して下側（時計の６時側）からリーダ／ライタ装置をかざした場合を示す平面図である。（ｄ）は、時計に対して左斜め下側（時針が時計の７時半側）からリーダ／ライタ装置をかざした場合を示す平面図である。
【図１２】（ａ）は、第３の実施形態におけるＮＦＣタグの要部ブロック図である。（ｂ）は、アンテナに入力される波形をデジタル化して出力する際の信号処理の説明図である。
【図１３】リーダ／ライタ装置が時計に近づく方向と、ＮＦＣ縦アンテナ，ＮＦＣ横アンテナの磁界発生の有無と検波出力及び加算器出力の関係を示す表である。
【図１４】（ａ）は、第４の実施形態における時計の正面図である。（ｂ）は、時計に対して右側からリーダ／ライタ装置をかざした場合を示す平面図である。（ｃ）は、時計に対して左側からリーダ／ライタ装置をかざした場合を示す平面図である。（ｄ）は、文字板の右側の一部がリーダ／ライタ装置によって覆われた状態を示す平面図である。（ｅ）は、文字板の左側の一部がリーダ／ライタ装置によって覆われた状態を示す平面図である。
【図１５】図１４（ａ）に示す時計のＮＦＣタグの要部ブロック図である。
【図１６】リーダ／ライタ装置が時計に近づく方向と、ＮＦＣ縦アンテナ，ＮＦＣ横アンテナの磁界発生の有無と検波出力、加算器出力、及び方向判定出力の関係を示す表である。
【発明を実施するための形態】
【００１２】
［第１の実施形態］
図１から図６を参照しつつ、本発明に係る時計及び通信システムの第１の実施形態について説明する。本実施形態では、時計が腕時計である場合を例として説明する。  なお、以下に述べる実施形態には、本発明を実施するために技術的に好ましい種々の限定が付されているが、本発明の範囲を以下の実施形態及び図示例に限定するものではない。
【００１３】
図１（ａ）は、本実施形態に係る時計の正面図であり、図１（ｂ）は、図１（ａ）におけるｂ-ｂ線に沿う断面図であり、図１（ｃ）は、本実施形態の時計に設けられるアンテナの平面図である。
本実施形態に係る時計１００は、電気的な駆動により後述する指針５３を回転させて時刻等を表示するアナログ方式の時計である。
また、時計１００は、時計本体１０１（図４（ａ）参照）とＮＦＣに対応するバーアンテナ（アンテナ）７を備えたＮＦＣタグ７０とを含み、後述するように、ＮＦＣリーダ／ライタ部（以下の説明及び図面において「ＮＦＣ  Ｒ／Ｗ部」とする。）９０を内蔵する機器（リーダ／ライタ装置（Ｒ／Ｗ装置）９）を時計１００の所定位置にかざすことでＮＦＣ規格に基づく近距離での無線通信を行うことができるものである（図２（ａ）、図３（ａ）、（ｂ）、（ｃ）参照）。
本実施形態の通信システムは、このような時計１００と、リーダ／ライタ装置９と、を備えている。
【００１４】
図１（ａ）及び図１（ｂ）に示すように、時計１００は、時計１００の各構成部を収納するケース２を備えている。
本実施形態のケース２は、時計１００の視認側（表面側、図１（ｂ）において上側）と裏面側（図１（ｂ）において下側）とに開口部２２，２３を有する中空の短柱形状に形成された枠体２１と、この枠体２１の裏面側の開口部２３を閉塞する裏蓋２４とを備えている。
枠体２１及び裏蓋２４は、例えばＳＵＳやチタン等の金属材料を含んで形成されている。
【００１５】
なお、ケース２の構成は、ここに例示したものに限定されない。
例えば、ケース２は、視認側のみが開口し、枠体２１部分と裏蓋２４部分とが一体に形成されていてもよい。
また、枠体２１及び裏蓋２４は、金属材料を含んで形成されているものに限定されず、例えば、ポリアセタール（polyacetal）又はポリオキシメチレン（ＰＯＭ,polyoxymethylene）や、ＡＢＳ樹脂、ポリアリレート樹脂、ポリカーボネート等で形成されていてもよい。
【００１６】
ケース２の視認側開口部には、透明なガラス等の材料で形成された風防部材３が視認側開口部を閉塞するように取り付けられている。
なお、風防部材３を形成する材料はガラスに限定されないが、本実施形態の時計１００は、後述するようにＮＦＣ受信用のバーアンテナ７を備えているため、風防部材３は、電波の受信を阻害しない材料で形成される。
また、ケース２の外側面には、時計１００における１２時と６時の位置に、バンド２５（図３（ａ）等参照）が取り付けられている。
【００１７】
ケース２の内部には、モジュール４が配置されている。モジュール４は、例えば指針５３を運針させるための輪列機構やモータ等で構成される時計ムーブメント、後述する時計制御部（制御部）１１の制御回路等の各種電子部品を搭載した回路基板等（いずれも図示せず）が、樹脂等で形成された図示しないハウジング内に収められたものである。
モジュール４のほぼ中央部には、時計ムーブメント側から上方に向けて突出する時計指針５３ａ（秒針、分針、時針からなる指針５３）用の指針軸５２ａが設けられている。
また、この指針軸５２ａの両側には、時計ムーブメント側から上方に向けて突出する機能針５３ｂ（各種の機能針５３ｂである指針）用の指針軸５２ｂが設けられている。
【００１８】
モジュール４の上には、後述するＮＦＣタグ７０（図４（ａ）参照）を構成するバーアンテナ７が配置されている。
図１（ｃ）に示すように、バーアンテナ７は、アモルファスやフェライト等の磁性材料で形成された薄板状の長尺のアンテナコア７５にコイル７６を巻回した薄型のアンテナである。
アンテナコア７５には、指針軸５２（時計指針５３ａ用の指針軸５２ａ及び機能針５３ｂ用の指針軸５２ｂ）が挿通される貫通孔７７が形成されている。
【００１９】
図２（ａ）は、本実施形態のバーアンテナ７から生ずる磁界と、リーダ／ライタ装置９のアンテナコイル（コイル）９２との関係を模式的に示したものである。図２（ｂ）は、従来のＮＦＣ受信用のアンテナ７００から生ずる磁界と、リーダ／ライタ装置９のアンテナコイル９２との関係を模式的に示したものである。
図２（ｂ）に示すように、従来の時計２００に設けられるＮＦＣ受信用のアンテナ７００は、例えばモジュール４の外周面にリング状に巻回されたコイルであり、このようなアンテナ７００からは、コイルの巻回方向に直交するように磁界が生ずる。このため、アンテナ７００と通信を行うためには、アンテナ７００の上方全体と重なるようにリーダ／ライタ装置９のアンテナコイル９２を配置する必要があり、通信を行う際には、図２（ｂ）に示すように、リーダ／ライタ装置９によって時計２００の視認側（文字板５）のほぼ全面が覆われた状態となる。
これに対して本実施形態のようなバーアンテナ７では、図２（ａ）に示すように、磁界が、長尺のバーアンテナ７の一端側から出て他端側から入るように廻る。このため、バーアンテナ７と通信を行うためには、バーアンテナ７の一端側の上方のみと重なるようにリーダ／ライタ装置９のアンテナコイル９２を配置すればよい。これにより、図２（ａ）に示すように、ＮＦＣタグ７０とリーダ／ライタ装置９とが通信中でも、時計１００の視認側（文字板５）の一部のみがリーダ／ライタ装置９によって覆われているにすぎず、リーダ／ライタ装置９がかざされていない側では文字板５上で各種の表示（例えば指針５３を動かす等）を行うことが可能な状態となる。
【００２０】
図３（ａ）及び図３（ｂ）は、時計１００に設けられるバーアンテナ７の配置方向とリーダ／ライタ装置９をかざす方向との関係を示す平面図である。図３（ｃ）は、バーアンテナ７が設けられた時計１００とリーダ／ライタ装置９との上下方向の関係を示す側面図である。
図３（ｃ）に示すように、リーダ／ライタ装置９を上方から時計１００に近接させ、時計１００の上面の一部（すなわち、図３（ａ）に示す文字板５の一部）に重なるようにかざすことによって、リーダ／ライタ装置９のＮＦＣ  Ｒ／Ｗ部９０と時計１００に設けられている図４（ａ）に示すＮＦＣタグ７０との間での通信が可能となる。
そして、図３（ａ）に示すように、バーアンテナ７が時計１００の１２時と６時を結ぶように縦方向に配置されている場合には、リーダ／ライタ装置９を時計１００に対してバーアンテナ７に沿うように縦方向（図３（ａ）における上下方向）にかざす。この場合、リーダ／ライタ装置９のアンテナコイル９２（図２（ａ）参照）が配置されているＮＦＣ  Ｒ／Ｗ部９０がバーアンテナ７の長手方向のほぼ半分程度（バーアンテナ７の一端側）と重なるように配置されたときに、もっとも通信状態の良い状態となる。
また、図３（ｂ）に示すように、バーアンテナ７が時計１００の９時と３時を結ぶように横方向に配置されている場合には、リーダ／ライタ装置９を時計１００に対してバーアンテナ７に沿うように横方向（図３（ｂ）における左右方向）にかざす。この場合にも、リーダ／ライタ装置９のアンテナコイル９２（図２（ａ）参照）が配置されているＮＦＣ  Ｒ／Ｗ部９０がバーアンテナ７の長手方向のほぼ半分程度（バーアンテナ７の一端側）と重なるように配置されたときに、もっとも通信状態の良い状態となる。
【００２１】
また、本実施形態における時計１００は、入射光により発電を行うソーラー発電機能を有しており、ケース２内であってバーアンテナ７の上には、外部から入射光を取り込んで発電を行う光発電部であるソーラーパネル８が配設されている。
図１（ａ）及び図１（ｂ）に示すように、本実施形態では、ソーラーパネル８は、バーアンテナ７による電波受信を妨げないように、バーアンテナ７の端部よりも内側に配置されている。
なお、ソーラーパネル８の形状や大きさは、図示例に限定されない。発電量を確保するためには、ソーラーパネル８の受光面積をできるだけ大きくすることが好ましく、例えばソーラーパネル８を文字板５の面方向の面積とほぼ同じ程度の大きさとしてもよい。
この場合には、ソーラーパネル８におけるバーアンテナ７の両端側の上部に対応する位置に切り欠きを設けて、ソーラーパネル８によってバーアンテナ７による電波受信を妨げないように構成する。
ソーラーパネル８を文字板５の面方向の面積とほぼ同じ程度の大きさとしつつ、バーアンテナ７の両端側の上部に対応する位置に切り欠きを設けることにより、バーアンテナ７の受信性能を劣化させることなく、ソーラーパネル８を最大限大きく形成してより多くの発電量を確保することができる。
ソーラーパネル８により発電された電力は、後述する二次電池８１（図４（ａ）参照）に送られ、蓄電される。
【００２２】
ケース２の視認側には、非導電性部材により形成された文字板５が設けられている。
本実施形態では、文字板５はソーラーパネル８と風防部材３との間に配置されている。
本実施形態において、文字板５における時計の３時及び９時側には、機能針５３ｂによる各種表示が行われる機能表示部５１が配置されている。なお、機能表示部５１の配置や数等は図示例に限定されない。また、機能表示部５１を設けることは必須の構成ではない。
文字板５のほぼ中央部及び機能表示部５１のほぼ中央部には、それぞれ貫通孔が設けられている。
文字板５のほぼ中央部に設けられた貫通孔には時計ムーブメントの内部機構側から時計１００の表面側（風防部材３の設けられている視認側：図１（ｂ）において上側）に向けて５３ａを支持する指針軸５２ａが挿通されており、指針軸５２ａには時計指針５３ａが支持されている。
また、機能表示部５１のほぼ中央部に設けられた貫通孔には時計ムーブメントの内部機構側から前面側（風防部材３の設けられている視認側：図１（ｂ）において上側）に向けて機能針５３ｂを支持する指針軸５２ｂが挿通されており、指針軸５２ｂには機能針５３ｂが支持されている。
指針軸５２ａ，５２ｂは、図示しない輪列機構を介して指針駆動モータ５６（図４（ｂ）参照）に接続されており、指針５３ａ，機能針５３ｂは、表示用駆動回路５５（図４（ｂ）参照）の制御によって指針駆動モータ５６が駆動することにより、対応する指針軸５２ａ，５２ｂが回転すると、指針５３ａ，５３ｂが回転する。
【００２３】
図４（ａ）は、本実施形態における時計１００及びリーダ／ライタ装置９の制御構成を示す要部ブロック図であり、図４（ｂ）は、図４（ａ）に示す時計表示部の構成例を示す要部ブロック図である。
図４（ａ）に示すように、時計１００は、時計制御部（制御部）１１、時計電源部１２、ソーラーパネル８、二次電池、時計入力部１３、時計表示部（表示部）５０及びＮＦＣタグ７０を備えている。
【００２４】
時計制御部（制御部）１１は、例えば図示しないＣＰＵ（Central Processing Unit）と、ＲＯＭ（Read Only Memory）及びＲＡＭ（Random Access Memory）等（いずれも図示せず）で構成される記憶部とを備えるコンピュータである。
時計制御部１１は、時計表示部（表示部）５０等、時計１００各部の動作を制御する。特に本実施形態では、時計制御部（制御部）１１は、リーダ／ライタ装置９とＮＦＣタグ７０との間の通信状態を利用者等に通知する通信状態通知処理を行うようになっている。
時計制御部１１は、通信Ｉ／Ｆを介してＮＦＣタグ７０との間で信号の送受信が可能となっており、本実施形態では時計制御部１１は、ＮＦＣタグ７０から、バーアンテナ７が受信した信号（ＮＦＣ信号）について受信信号の強度を取得する。
時計制御部１１は、ＮＦＣタグ７０から取得したＮＦＣ信号について受信信号の強度に基づいて、後述するように、リーダ／ライタ装置９とＮＦＣタグ７０との間の通信状態を利用者等に通知する通信状態通知処理を行う。
【００２５】
時計電源部１２は、ソーラーパネル８により発電された電力を二次電池８１に蓄積させるとともに、二次電池８１に蓄積されている電力を時計制御部１１、時計表示部（表示部）５０、その他時計１００各部に電源を供給する。また、時計電源部１２は、二次電池８１の充電状況等（充電電流や充電電圧等）を時計制御部１１に出力する。
二次電池８１は、時計電源部１２を介して充電されるものであり、繰り返し放充電可能となっている。
【００２６】
時計入力部１３は、ケース２の外側面等に設けられた図示しない操作ボタン等で構成されている。
時計入力部１３が操作されることで、時計制御部１１に操作に応じた信号が入力されるようになっている。
【００２７】
図４（ｂ）に示すように、時計表示部（表示部）５０は、指針５３ａ，５３ｂと、指針５３ａ，５３ｂが取り付けられる指針軸５２ａ，５２ｂを回転動作させる指針駆動モータ５６と、この指針駆動モータ５６の動作を制御する表示用駆動回路５５と、を備えている。
時計表示部（表示部）５０を構成する表示用駆動回路５５や指針駆動モータ５６は、時計電源部１２からの電力供給を受けて駆動する。
表示用駆動回路５５は、時計制御部１１からの制御信号に基づいて指針駆動モータ５６の動作を制御する。
また、本実施形態では、時計表示部（表示部）５０は、文字板５を照明する光源５７を備えている。
表示用駆動回路５５は、時計制御部１１からの制御信号に基づいて光源５７の発光（すなわち、照明の明るさや光源５７の点滅のパターン等）を制御するようになっている。
【００２８】
本実施形態における時計表示部（表示部）５０は、時計１００へのリーダ／ライタ装置９のかざし方を事前に利用者に指定することにより、文字板５のうちリーダ／ライタ装置９のかざされた側とは反対側の領域を有効に活用することができる。時計表示部（表示部）５０は、このように、文字板５のうちリーダ／ライタ装置９のかざされた側とは反対側の領域を有効に活用することによって、通信部であるＮＦＣタグ７０とリーダ／ライタ装置９との通信状態を通知可能に構成された表示部である。
時計表示部（表示部）５０は、時計制御部１１の制御に従って、通信部であるＮＦＣタグ７０とリーダ／ライタ装置９との通信状態の通知を行う。
本実施形態では、指針５３の動き、光源５７の発光のうち少なくともいずれか一方を制御することで通信状態を通知させるようになっている。
具体的には、時計制御部１１は、ＮＦＣタグ７０により受信された受信信号の強度を取得すると、例えば受信信号の強度が強いほど大きく指針５３ａ，５３ｂを回転させたり、移動させるように時計表示部（表示部）５０を制御する。
また、時計制御部１１は、受信信号の強度が強いほど光源５７の照度を明るくするように時計表示部（表示部）５０を制御する。なお、受信信号の強度が一定以上である時は光源５７を常時点灯させ、受信信号の強度が弱くなると光源５７を点滅させるようにしてもよい。また、受信信号の強度に応じて光源５７の発光についてのデューティー比を切り替えることにより、光源５７の点灯間隔や点滅速度を変更する（例えば受信強度が強いほど光源５７の点滅速度を速める等）等、光源の点滅のパターンを変更してもよい。
【００２９】
また、本実施形態の時計表示部（表示部）５０は、ＮＦＣタグ７０とリーダ／ライタ装置９との通信により時計１００の時刻設定（時刻修正）やアラーム設定等が行われた際には、時刻設定（時刻修正）やアラーム設定等が行われる過程を、文字板５のうちリーダ／ライタ装置９のかざされた側とは反対側の領域により表示させる。
具体的には、時差のある地域に移動した際等に、現地の時刻に時刻を合わせるために指針５３が回動する様子を文字板５上において表示させる。
これにより、利用者は、ＮＦＣタグ７０とリーダ／ライタ装置９との間で通信が行われていることを文字板５を見るだけで確認できるとともに、指針５３等が実際に移動する様子を見て楽しむことができる。
【００３０】
ＮＦＣタグ７０は、図示しないＩＣやメモリ等を備えるＮＦＣタグ本体７１と、バーアンテナ７とコンデンサ７２とを備えて構成されている。
ＮＦＣタグ７０は、リーダ／ライタ装置９からの電源供給を受けて駆動する。
ＮＦＣタグ７０は、リーダ／ライタ装置９のＮＦＣ  Ｒ／Ｗ部９０との間で近距離での無線通信を行い、リーダ／ライタ装置９から各種の情報を取得するものである。
【００３１】
本実施形態においてＮＦＣタグ７０のバーアンテナ７によってリーダ／ライタ装置９から受信される情報は例えば時刻情報であり、ＮＦＣタグ７０によって受信された時刻情報は、通信Ｉ／Ｆを介して時計本体１０１の時計制御部１１に送られる。時計制御部１１は送られた情報に基づいて時計表示部（表示部）５０を制御し、適宜時刻の修正等を行わせる。
なお、バーアンテナ７によってリーダ／ライタ装置９から受信される情報は時刻情報に限定されず、各種情報を受信して、この受信結果を時計本体１０１側に反映させることが可能である。
【００３２】
また、ＮＦＣタグ本体７１は、バーアンテナ７が受信した受信信号の強度を検出して検出結果を時計本体１０１側の時計制御部１１に出力するようになっている。
すなわち、バーアンテナ７によってリーダ／ライタ装置９からの電波が受信されると、この信号受信に伴って電圧が発生する。ＮＦＣタグ本体７１のＩＣは、バーアンテナ７からのこの出力（電圧信号）を随時モニタリングし、この電圧信号の振幅に基づいて、受信信号の強度を検出する。検出されたバーアンテナ７の受信信号の強度は、通信Ｉ／Ｆを介して時計制御部１１に送られる。本実施形態のバーアンテナ７は、前述のように、長手方向における半分程度又はそれ以下の範囲がＮＦＣ  Ｒ／Ｗ部９０のアンテナコイル９２によって覆われることでアンテナコイル９２からの信号を好適に受信可能となり、このときに受信信号の強度が最も強くなる。
なお、ＮＦＣタグ本体７１がバーアンテナ７の受信信号の強度を検出する手法はここに示した例に限定されない。
【００３３】
リーダ／ライタ装置９は、例えばスマートフォン等の携帯端末装置であり、ＮＦＣ  Ｒ／Ｗ部（ＮＦＣリーダ／ライタ部）９０を備えている。
ＮＦＣ  Ｒ／Ｗ部９０は、アンテナコイル（コイル）９２及びコンデンサ９３等を備えて構成されており、リーダ／ライタ装置９の本体側への入力指示等に基づいて適宜ＮＦＣタグ７０との間でＮＦＣ規格に基づいた近距離での無線通信を行う。
本実施形態では、リーダ／ライタ装置９が正確な時刻情報を有している場合に、この時刻情報をＮＦＣタグ７０に送信する場合を例として説明する。
【００３４】
次に、図５（ａ）から図５（ｄ）及び図６（ａ）から図６（ｅ）を参照しつつ、本実施形態における時計及び通信システムの作用について説明する。
【００３５】
図５（ａ）は、バーアンテナ７が横方向に配置された時計１００にリーダ／ライタ装置９をかざしてＮＦＣ  Ｒ／Ｗ部９０とＮＦＣタグ７０との間で通信を行う場合を示した平面図である。
図５（ａ）に示すように、ＮＦＣタグ７０（図４（ａ）参照）を備える時計１００と、携帯端末装置等のリーダ／ライタ装置９と、の間で通信を行う場合には、利用者は、リーダ／ライタ装置９をかざす横方向の位置及び縦方向の位置をずらしながらリーダ／ライタ装置９を時計１００に近接させる。
バーアンテナ７が横方向に配置されている場合には、ＮＦＣ  Ｒ／Ｗ部９０が文字板５の右側（又は左側）の一部に重なるようにかざされて、バーアンテナ７の長手方向におけるほぼ半分程度がアンテナコイル９２によって隠れた状態となったときに通信状態が最も良好となる。
【００３６】
図５（ｂ）に示すように、ＮＦＣ  Ｒ／Ｗ部９０が通信に適した最適位置に配置されると、ＮＦＣタグ７０のバーアンテナ７の受信信号の強さが最強となり、この最適位置からずれるほど受信信号の強さが弱くなる。
本実施形態では、この受信信号の強度がＮＦＣタグ本体７１（図４（ａ）参照）によって検出され、検出結果が、時計本体１０１の時計制御部１１に送られる。
時計制御部１１は、送られた検出結果に基づいて、時計表示部（表示部）５０を制御し、文字板５のうちリーダ／ライタ装置９のかざされた側とは反対側の領域に指針５３を回動させた上で、バーアンテナ７の受信信号の強度に応じて指針駆動モータを動作させ、図５（ｃ）に示すように、指針５３ａ，５３ｂを回転させて、通信状態（バーアンテナ７の受信信号の強度）を利用者等に通知させる。
例えば、図５（ｂ）に示すように、受信信号の強度と指針（例えば秒針）５３ａの指し示す目盛の位置とを予め対応付けて時計制御部１１のＲＯＭ等の記憶部に記憶させておき、受信信号の強度に応じた目盛（例えば受信信号の強度が最強であれば「２６」の秒針目盛）を指すように指針（例えば秒針）５３ａを移動させる。
なお、受信信号の強度に応じて回転・移動させる指針５３は、特に限定されず、機能針５３ｂを備える場合には、機能針５３ｂを回転・移動させてもよい（図５（ｃ）参照）。
【００３７】
さらに、時計表示部（表示部）５０が、日付表示部を備えていてもよい。
日付表示部は、例えば、周方向に沿って数字が配置された円盤状の日車５４ａ（図５（ｄ）参照）と、この日車５４ａを回転させる図示しない日付用モータとを備えている。時計表示部（表示部）５０が日付表示部を備える場合には、文字板５に、日車５４ａの数字を１つずつ露出させることが可能な日窓５４が形成される。
時計表示部（表示部）５０がこのような日付表示部を備える場合には、時計制御部１１は、日付用モータを動作させて日車５４ａを回転させ、図５（ｄ）に示すように、日付表示部の日窓５４に表示される日車５４ａの数字を変化させることによって通信状態（バーアンテナ７の受信信号の強度）を利用者等に通知させてもよい。
【００３８】
また、時計表示部（表示部）５０は光源５７の発光によって通信状態（バーアンテナ７の受信信号の強度）を利用者等に通知させてもよい。
この場合には、図５（ａ）と同様、図６（ａ）に示すように、利用者がリーダ／ライタ装置９をかざす横方向の位置及び縦方向の位置をずらしながらリーダ／ライタ装置９を時計１００に近接させた場合の受信信号の強度と光源５７（図４（ｂ）参照）による照明の明るさとを、図６（ｂ）に示すように、予め対応付けて時計制御部１１のＲＯＭ等の記憶部に記憶させておき、光源５７による照明の程度（％）を、受信信号の強度に応じて変化させるように光源５７の発光を制御する。
例えば、リーダ／ライタ装置９の横方向の位置はバーアンテナ７の長手方向の半分程度と重なる位置にあっても、縦方向の位置においてバーアンテナ７がリーダ／ライタ装置９の端部に乗っている程度である場合（例えば図６（ｃ）及び図６（ｅ）に示す場合）には、光源５７による照明の程度を５０％程度とする。また、リーダ／ライタ装置９が横方向の位置がバーアンテナ７の長手方向の半分程度と重なる位置にあり、縦方向の位置においてバーアンテナ７がリーダ／ライタ装置９のほぼ中央部に乗っている場合（例えば図６（ｄ）に示す場合）には、光源５７による照明の程度を１００％程度とする。
また、時計制御部１１は、バーアンテナ７の受信信号の強度に応じて、光源５７の点滅の速度を変化させるように光源５７の発光を制御してもよい。
【００３９】
なお、通信部であるＮＦＣタグ７０（図４（ａ）参照）のバーアンテナ７とリーダ／ライタ装置９との通信状態を通知する手法は、上記に示したうちのいずれか１つであってもよいし、例えば、機能針５３ｂを回転させながら光源５７による発光も行う等、上記の手法をいくつか組み合わせて行ってもよい。
また、通信状態の通知をどのように行うかは、予め時計本体１０１の側で設定可能であってもよいし、リーダ／ライタ装置９側で設定し、この設定情報をＮＦＣタグ７０を介して時計本体１０１側に送ってもよい。
【００４０】
また、指針５３や光源５７等により通信状態を通知させる際には、指針５３や光源５７等を動作させるための電源は、時計本体１０１側の二次電池８１から供給されてもよいし、リーダ／ライタ装置９側から電源を供給して行ってもよい。また、二次電池８１及びリーダ／ライタ装置９の双方から供給されてもよい。
電源供給をどこから行うかは予め時計本体１０１の側で設定可能であってもよいし、リーダ／ライタ装置９側で設定し、この設定情報をＮＦＣタグ７０を介して時計本体１０１側に送ってもよい。
【００４１】
また、ＮＦＣタグ７０がリーダ／ライタ装置９と通信することによって、リーダ／ライタ装置９側から時刻情報やアラームの設定情報等、各種の情報を取得した場合には、当該情報が通信Ｉ／Ｆを介して時計制御部１１に送られる。
時計制御部１１は、送られた情報に基づいて時計表示部（表示部）５０等、時計本体１０１の各部を制御し、時刻の設定（修正）やアラームの設定等を行う。
時刻の設定（修正）等を行う場合には、時計制御部１１は、時計表示部（表示部）５０を制御して指針５３の移動する様子等を文字板５上に表示させる。これにより、利用者はリーダ／ライタ装置９との間で通信が成立していることを視認することができるとともに、時刻の設定（修正）の過程を確認することができる。
【００４２】
以上のように、本実施形態によれば、外部機器（リーダ／ライタ装置９）との間で無線通信可能に構成された通信部であるＮＦＣタグ７０を構成するバーアンテナ７が、ケース２内でかつ文字板５の裏面側に文字板５と平行に配置されている。
このため、アンテナコイル９２を備えたリーダ／ライタ装置９を文字板５の一部の上に重なるようにかざすことにより、ＮＦＣタグ７０とリーダ／ライタ装置９との間での通信が可能となる。これにより、文字板５のうちリーダ／ライタ装置９のかざされた側とは反対側の領域（すなわち、リーダ／ライタ装置９によって覆われていない領域）を利用することにより、ＮＦＣタグ７０とリーダ／ライタ装置９との通信状態を利用者に通知することができ、利用者は、時計の文字板５を見るだけで、通信が正常に行われているか否かを確認することができる。
また、時計表示部（表示部）５０は、指針５３及び／又は日車５４ａの文字を表示可能な日窓５４を備え、時計制御部１１は、指針５３及び／又は日車５４ａによる日付表示の変化を制御することにより通信状態を通知させるようになっている。このように、通信状態に応じて指針５３の動きや日車５４ａによる日付表示の位置等を変えることにより通信状態を示すため、リーダ／ライタ装置９をかざす位置が通信を成立させるのに適した位置か否かを利用者が目視にて簡易に確認することができる。
さらに、本実施形態では、時計表示部（表示部）５０は、文字板５を照明する光源５７を備え、時計制御部１１は、光源５７の発光を制御することにより通信状態を通知させる。このため、光源５７による照明の明るさの程度や光源５７の点滅によってＮＦＣタグ７０とリーダ／ライタ装置９との通信状態を利用者に分かり易く伝えることができる。
また、時計１００が腕時計である場合、例えばリーダ／ライタ装置９が左方向（９時側）から時計１００にかざされるように利用者に指定し、この場合は時計制御部１１が、文字板５における０時から６時側の半分の範囲内において通信状態を通知させるように表示部の動作を制御するようにし、ＮＦＣタグ７０とリーダ／ライタ装置９との通信状態を利用者が確認できるように通信状態を通知させるように時計表示部（表示部）５０の動作を制御するようになっている。  また、本実施形態では、ソーラーパネル８が文字板５とバーアンテナ７との間に配置されているが、ソーラーパネル８はバーアンテナ７の端部を覆わない大きさ・形状となっているため、ソーラーパネル８によってバーアンテナ７の受信感度が劣化することを回避できる。
また、本実施形態では、ケース２が、金属材料を含む環状枠と、金属材料を含む裏蓋とを備えている。このため、高級感のある時計１００を実現することができる。この場合でも、ＮＦＣタグ７０とリーダ／ライタ装置９との通信を行うことができ、その通信状態を時計表示部（表示部）５０により利用者に通知することができる。
【００４３】
なお、リーダ／ライタ装置９をかざす方向は、左方向（９時側）からに限定されるものではなく、例えば事前の設定により右方向（３時側）からに変更することも可能であり、その場合は文字板５における６時から１２時側の半分の範囲内において通信状態を通知させるように時計表示部（表示部）５０の動作を制御すればよい。
また、アンテナが縦方向に配置されている場合は、リーダ／ライタ装置９をかざす方向は下側（６時側）又は上側（１２時側）である。
この場合にも、リーダ／ライタ装置９を下側（６時側）又は上側（１２時側）のいずれの方向からかざすかを事前に選択できるようにし、文字板５における表示は、リーダ／ライタ装置９のかざされた側とは反対側の領域（文字板５の上側（１２時側）又は下側（６時側））において行うことができるようにしてもよい。
【００４４】
［第２の実施形態］
次に、図７（ａ）及び図７（ｂ）から図１０（ａ）〜図１０（ｄ）を参照しつつ、本発明に係る時計及び通信システムの第２の実施形態について説明する。なお、本実施形態は、時計側のＮＦＣタグとリーダ／ライタ装置との間で通信が成立した際の制御構成が第１の実施形態と異なるものであるため、以下においては、特に第１の実施形態と異なる点について説明する。
【００４５】
図７（ａ）は、本実施形態における時計及びリーダ／ライタ装置の要部ブロック図であり、図７（ｂ）は、図７（ａ）におけるＮＦＣタグ本体及び時計電源部の構成を詳細に示した要部ブロック図である。
本実施形態における時計１００のＮＦＣタグ７０とリーダ／ライタ装置９とは双方向での通信が可能に構成されている。
本実施形態において、時計１００側の各種設定や操作等は、リーダ／ライタ装置９側のアプリケーションによって実現される。
すなわち、リーダ／ライタ装置９側において所定のアプリケーションが起動されると、リーダ／ライタ装置９と時計１００側のＮＦＣタグ７０との間で通信が行われ、リーダ／ライタ装置９からＮＦＣタグ７０のＮＦＣタグ本体７１に所定の通信コマンドが送信される。ＮＦＣタグ７０は、通信Ｉ／Ｆを介して時計本体１０１側の時計制御部１１との間で通信を確立し、リーダ／ライタ装置９から要求されたコマンド処理を行う。
【００４６】
コマンド処理としては、例えば、時計本体１０１側の時刻をリーダ／ライタ装置９側で設定して時計１００側に反映させる時刻設定処理、時計本体１０１側のアラーム設定をリーダ／ライタ装置９側で行い時計１００側に反映させるアラーム設定処理、時計本体１０１側の二次電池８１をリーダ／ライタ装置９側から供給される電力で充電する時計充電処理等がある。なお、コマンド処理はここに例示したものに限定されない。
時計本体１０１側においてリーダ／ライタ装置９から要求された所定のコマンド処理が行われると、時計本体１０１側の時計制御部１１は、ＮＦＣタグ７０を介して処理結果をリーダ／ライタ装置９にレスポンスとして送信する。リーダ／ライタ装置９側の制御部は、ＮＦＣ  Ｒ／Ｗ部９０を介してレスポンスを受信すると、Ｒ／Ｗ表示部９５等に所定の表示等を行わせる。
【００４７】
図７（ａ）に示すように、本実施形態のリーダ／ライタ装置９は、ＮＦＣ  Ｒ／Ｗ部９０の他、リーダ／ライタ入力部（以下の説明及び図面において「Ｒ／Ｗ入力部」とする。）９４、リーダ／ライタ表示部（以下の説明及び図面において「Ｒ／Ｗ表示部」とする。）９５を備えている。
Ｒ／Ｗ入力部９４は、ボタン操作又はタッチパネル等へのタッチ操作により各種指示を入力操作するものである。
Ｒ／Ｗ表示部９５は、リーダ／ライタ装置９の操作状況や、ＮＦＣ  Ｒ／Ｗ部９０の通信先である時計１００からフィードバックされた情報等に基づく表示画面を表示させるものである。
【００４８】
図７（ｂ）に示すように、本実施形態のＮＦＣタグ本体７１は、整流回路７１１、変復調回路７１２、ベースバンド処理部７１３等を備えて構成されている。
【００４９】
整流回路７１１は、交流を直流に変換する回路であり、例えばダイオードを使用して交流波形の正の半波のみを通過させ、負の半波は阻止することで交流を直流に変換する。
整流回路７１１は、リーダ／ライタ装置９から供給される電流を直流に変換してＮＦＣタグ７０の電源（ＮＦＣタグ電源）に送るようになっており、このＮＦＣタグ７０の電源からＮＦＣタグ本体７１の各部に電源を供給される。
変復調回路７１２は、各種データをＮＦＣタグ７０から外部に送信するためにデータを搬送波（信号）に載せる「変調」及び外部からＮＦＣタグ７０に送信された変調後の搬送波（信号）から元のデータを取り出す「復調」を行う。
なお、信号の「変調」及び「復調」の手法や方式は特に限定されない。
ベースバンド処理部７１３は、変復調回路７１２で復調されたデジタル信号からヘッダー信号などを取り去り必要な情報のみをＮＦＣタグ７０から外部に出力するものであり、本実施形態では通信Ｉ／Ｆを介して時計側の時計制御部１１に信号を出力する。また、ベースバンド処理部７１３は、時計側の時計制御部１１から通信Ｉ／Ｆを介してＮＦＣタグ７０に送られた信号にリーダ／ライタ装置９との通信に必要なヘッダー信号などを付加した後、変復調回路７１２に送るようになっている。
【００５０】
本実施形態では、ＮＦＣタグ７０が受信した受信電力が整流回路７１１において直流変換されて、時計本体１０１側の時計電源部１２に送られるようになっている。
この受信電力は、抵抗１２２、充電スイッチ１２３及び逆流防止用ダイオード１２４を介して、時計１００の各部に供給される。
また、本実施形態では、リーダ／ライタ装置９側のアプリケーションにおいて時計１００の充電を行うように指示する充電指示信号が時計１００側に送られるようになっており、時計制御部１１は、ＮＦＣタグ７０を介してこの充電指示信号を受けると、時計電源部１２の充電スイッチ１２３をＯＮとするように制御し、二次電池８１への充電を開始させる。
また、時計制御部１１は、二次電池８１への充電中、充電電流及び充電電圧を随時検出し、充電電圧が、二次電池８１に規定されている上限を超えたと判断すると、時計電源部１２の充電スイッチ１２３をＯＦＦとするように制御し、二次電池８１への充電を停止させる。
【００５１】
なお、その他の構成は、第１の実施形態と同様であることから、同一部材には同一の符号を付して、その説明を省略する。
【００５２】
次に、図８、図９（ａ）〜図９（ｃ）及び図１０（ａ）〜図１０（ｅ）を参照しつつ、本実施形態における時計及び通信システムの作用について説明する。
【００５３】
図８に示すように、利用者がリーダ／ライタ装置９側のＲ／Ｗ入力部９４等を操作することにより時計１００との連動を実現するためのアプリケーションを起動させると、リーダ／ライタ装置９のＲ／Ｗ表示部９５に初期画面が表示される。
図９（ａ）にＲ／Ｗ表示部９５に表示される初期画面の一例を示す。図９（ａ）に示すように、初期画面には、例えば、本実施形態で実行可能なコマンド処理としての「時刻設定処理」、「アラーム設定処理」、「時計充電処理」のいずれかを選択させる選択ボタンが表示される。また、ＮＦＣの通信状態を「悪い」から「良い」まで８段階で示す通信状態表示欄が表示されている。
利用者がいずれかの選択ボタンを操作することにより、リーダ／ライタ装置９側において、当該操作に対応するアプリケーションが起動する。
【００５４】
利用者がリーダ／ライタ装置９を時計１００にかざし、距離が一定以上近接すると、リーダ／ライタ装置９側から時計１００のＮＦＣタグ７０に対して電力が送信されるとともに、接続要求がなされる。ＮＦＣタグ７０への電力送信と接続要求は、リーダ／ライタ装置９のアンテナコイル９２とＮＦＣタグ７０との距離が一定以上近接している限り繰り返され、ＮＦＣタグ７０に規定以上の電力が供給されると、ＮＦＣタグ７０が起動して、リーダ／ライタ装置９との間で通信の初期設定が確立される。
ＮＦＣタグ７０とリーダ／ライタ装置９との間で通信が開始されると、ＮＦＣタグ本体７１によって受信信号の強度が検出され、検出結果が時計制御部１１に送られる。
ＮＦＣタグ７０と時計制御部１１との間で通信Ｉ／Ｆを介して通信が確立されると、時計制御部１１とリーダ／ライタ装置９との間では、ＮＦＣタグ７０を介して受信信号の強度の確認とこれに対するレスポンスが随時行われ、リーダ／ライタ装置９の制御部は、時計制御部１１から送られる受信信号の強度に基づいて、随時Ｒ／Ｗ表示部９５の表示画面中の通信状態表示欄の表示を更新する。
また、時計１００の文字板５上においても、リーダ／ライタ装置９のかざされている側とは反対側の領域を用いて、指針５３や日付表示、光源５７の点灯、点滅等により、随時受信信号の強度が利用者に通知される。
【００５５】
リーダ／ライタ装置９側のＲ／Ｗ入力部９４から、利用者によって「時刻設定処理」が選択されると、時刻設定命令（コマンド信号）がリーダ／ライタ装置９からＮＦＣタグ７０を介して時計制御部１１に送られる。コマンド信号を受け取ると、時計制御部１１は、時計表示部（表示部）５０等を制御して時刻の設定（修正）を行わせる。
時計１００側において時刻の設定（修正）が開始されると、リーダ／ライタ装置９側のＲ／Ｗ表示部９５には、例えば図９（ｂ）のような時刻設定画面が表示され、時刻が設定される様子（すなわち、正しい時刻を指す位置まで指針等が移動する様子）を時計の指針の動きや日付表示の数字の変化等で表現される。なお、この画面は、時計本体１０１側の時計表示部（表示部）５０における文字板５上の表示と同じとなるようにリンクされていてもよい。
【００５６】
また、利用者によって、「時計充電処理」が選択されると、充電開始命令（コマンド信号）がリーダ／ライタ装置９からＮＦＣタグ７０を介して時計制御部１１に送られる。コマンド信号を受け取ると、時計制御部１１は、充電スイッチ１２３をＯＮとし、二次電池８１の充電を開始させる。そして、ＮＦＣタグ７０を介してリーダ／ライタ装置９に対し、充電を開始した旨のレスポンスを行う。
また、二次電池８１の充電状態（充電量や充電時間等）についても時計１００側において文字板５上の指針５３の動きや光源５７による照明等により表現する場合には、文字板５上において充電が開始された旨を表現する（例えば一定間隔での光源５７の点滅）。
充電を開始した旨のレスポンスを受け取ると、リーダ／ライタ装置９のＲ／Ｗ表示部９５には、例えば図９（ｃ）のような時計充電画面が表示され、時計１００側の二次電池８１の充電量が電池のイラスト等、直感的に分かり易い表示で表現される。また、図９（ｃ）に示すように、満充電（充電完了）となるまでの予想時間等も表示されるようにしてもよい。なお、時計１００の二次電池８１を携帯端末装置等のリーダ／ライタ装置９によって充電する場合、充電量０％の状態から充電完了までの時間は数分程度である。
【００５７】
時計制御部１１は、充電中の充電電流及び充電電圧を随時検出する。リーダ／ライタ装置９は、充電中の充電電流及び充電電圧について、ＮＦＣタグ７０を介して時計制御部１１に随時確認し、時計制御部１１はこれに随時レスポンスを行う。リーダ／ライタ装置９は、時計制御部１１からの応答に基づいて、二次電池８１の充電時間や充電量を随時算出し、算出結果に基づいて、Ｒ／Ｗ表示部９５の時計充電画面を随時更新する。
【００５８】
また、通信状態についてもリーダ／ライタ装置９と時計制御部１１との間で随時確認と応答が繰り返されており、通信状況や充電状況が変化すると、Ｒ／Ｗ表示部９５の時計充電画面に随時変化が反映される。
例えば、時計充電中に、利用者がリーダ／ライタ装置９を動かしてしまい、通信状態が悪化すると、図１０（ａ）、図１０（ｃ）、図１０（ｅ）に示すように、Ｒ／Ｗ表示部９５の時計充電画面における通信状態表示欄の評価表示が「悪い」状態となる。また、利用者がリーダ／ライタ装置９を適切な位置にかざし直すと、図１０（ｂ）、図１０（ｄ）に示すように、通信状態表示欄の評価表示が「良い」状態に更新される。
このようなＲ／Ｗ表示部９５の表示を確認することで、利用者は、リーダ／ライタ装置９を通信が適切に行われる位置にかざしているか否かを随時目視にて確認することができる。
【００５９】
時計制御部１１は、検出された充電電流及び充電電圧から二次電池８１が満充電となった（充電電圧が二次電池８１の上限電圧を超えた）ことを検出すると、充電スイッチ１２３をＯＦＦとして、充電を停止させる。また、リーダ／ライタ装置９からの確認・問い合わせに対して、充電が完了した旨のレスポンスを行う。
そして、二次電池８１の充電状態（充電量や充電時間等）について文字板５上の指針５３の動きや光源５７による照明等により表現している場合には、文字板５上において充電が完了した旨を表現する（例えば一定時間の光源５７の点灯、又は充電中点滅していた光源５７の消灯等）。
リーダ／ライタ装置９は、時計制御部１１から充電完了の応答を受け取ると、時計充電画面において、充電が完了して旨を表示させる。
【００６０】
以上のように、本実施形態によれば、第１の実施形態と同様の効果を得られる他、以下の効果を得ることができる。
すなわち、本実施形態では、リーダ／ライタ装置９側の電源によって時計本体１０１側の二次電池８１の充電を行うことができる。このため、例えば日没後等、ソーラーパネル８による発電が行えないような状況下で時計１００を使用したい場合に、リーダ／ライタ装置９を時計１００にかざすだけで簡易に二次電池８１の充電を行い、時計１００を使用可能な状態とすることができる。
また、二次電池８１の充電状態が時計本体１０１側の表示部である文字板５上において指針５３等を用いて通知可能となっている。このため、充電状態や充電にかかる残り時間等を時計１００の文字板５を見ることで容易に確認することができる。
また、時計本体１０１側とリーダ／ライタ装置９との間で双方向の通信を行うようになっている。これにより、時計本体１０１側において検出された充電状況等をリーダ／ライタ装置９にフィードバックすることができ、リーダ／ライタ装置９においてもＲ／Ｗ表示部９５の表示画面上で充電状況等を確認することができる。
【００６１】
なお、二次電池８１の充電や時刻設定（修正）は、リーダ／ライタ装置９側のアプリケーションによって行われるものに限定されない。例えば、リーダ／ライタ装置９を時計１００側のＮＦＣタグ７０にかざしたときには、特にアプリケーションの起動や設定等を行わなくても自動的に二次電池８１の充電や時刻設定（修正）が開始されるようにしてもよい。この場合にも、時計表示部（表示部）５０やリーダ／ライタ装置９においてもＲ／Ｗ表示部９５において二次電池８１の充電状況や時刻設定（修正）される様子が随時表示されるようにすることが好ましい。
また、二次電池８１の充電を、リーダ／ライタ装置９側のアプリケーションによって行う場合には、自動的に充電を開始する場合よりも大きな電力を時計１００側に送ることで急速充電を可能とするように構成してもよい。
【００６２】
［第３の実施形態］
次に、図１１（ａ）から図１１（ｄ）、図１２（ａ）、図１２（ｂ）及び図１３を参照しつつ、本発明に係る時計及び通信システムの第３の実施形態について説明する。なお、本実施形態は、バーアンテナの数が第１の実施形態等と異なるものであるため、以下においては、特に第１の実施形態等と異なる点について説明する。
【００６３】
図１１（ａ）は、本実施形態における時計１００の正面図である。また、図１１（ｂ）は、時計１００に対して右側からリーダ／ライタ装置９をかざした場合を示す平面図である。図１１（ｃ）は、時計１００に対して下側からリーダ／ライタ装置９をかざした場合を示す平面図である。図１１（ｄ）は、時計１００に対して左斜め下側からリーダ／ライタ装置９をかざした場合を示す平面図である。
また、図１２（ａ）は、本実施形態におけるＮＦＣタグ７０の要部ブロック図である。図１２（ｂ）は、バーアンテナ７に入力される波形をデジタル化して出力する際の信号処理の説明図である。
【００６４】
本実施形態の時計１００のＮＦＣタグ７０は、２つのバーアンテナ７（図１２（ａ）において、ＮＦＣ縦アンテナ７ａ，ＮＦＣ横アンテナ７ｂ）を備えている。
ＮＦＣ縦アンテナ７ａ，ＮＦＣ横アンテナ７ｂは、図１１（ａ）に示すケース２内であって文字板５の下に、互いに直交するように配置されている。
【００６５】
図１２（ａ）に示すように、本実施形態において、ＮＦＣタグ本体７１の整流回路７１１にはダイオードブリッジが形成されている。これによりＮＦＣ縦アンテナ７ａ，ＮＦＣ横アンテナ７ｂの磁界の向きが逆になっている場合でもそれぞれから出力される電力を加算することができる。
また、ＮＦＣタグ本体７１の変復調回路７１２は、ＮＦＣ縦アンテナ７ａ，ＮＦＣ横アンテナ７ｂに対応して検波回路７１４ａ及び検波回路７１４ｂを備えている。また、変復調回路７１２には、加算器７１６、スライサ７１７が設けられている。
【００６６】
検波回路７１４ａ，７１４ｂは、変調後の搬送波（信号）から元のデータを取り出す「復調」を行う。本実施形態の検波回路７１４ａは、ＮＦＣ縦アンテナ７ａによって受信された信号出力（これを検波波形Ａという）を取り出し、検波回路７１４ｂは、ＮＦＣ横アンテナ７ｂによって受信された信号出力（これを検波波形Ｂという）を取り出す。
また、加算器７１６は、検波回路７１４ａ及び検波回路７１４ｂから出力された検波波形Ａ及び検波波形Ｂを加算して出力する。
スライサ７１７は、入力波形における一定電圧レベル以上、かつ一定電圧レベル以下の部分を取り出してデジタル化する回路である。
本実施形態では、ＮＦＣ縦アンテナ７ａ，ＮＦＣ横アンテナ７ｂから得られた検波波形Ａ及び検波波形Ｂが図１２（ｂ）に示すようなものである場合に、検波波形Ａ及び検波波形Ｂを加算することで、ＮＦＣ縦アンテナ７ａ，ＮＦＣ横アンテナ７ｂからの出力を最大限活用して大きな波形を得ることができる。
【００６７】
ＮＦＣ縦アンテナ７ａ，ＮＦＣ横アンテナ７ｂの磁界の発生の有無及び検波出力Ａ及びＢの電圧は、リーダ／ライタ装置９が時計１００に近づく方向によって変化する。
図１３は、リーダ／ライタ装置９が時計１００に近づく方向と、ＮＦＣ縦アンテナ７ａ，ＮＦＣ横アンテナ７ｂの磁界発生の有無、検波出力電圧、加算器出力の関係を示す表である。
図１３に示すように、例えば、図１１（ｂ）に示すように、リーダ／ライタ装置９が右側から時計１００に近づいた場合には、ＮＦＣ縦アンテナ７ａは磁化せず、ＮＦＣ縦アンテナ７ａから生じる検波出力Ａの電圧は０である。これに対して、ＮＦＣ横アンテナ７ｂはリーダ／ライタ装置９が右側から時計１００に近づいた場合には、ＮＦＣ横アンテナ７ｂには磁界が発生し、検波出力Ｂの電圧はｂとなる。その結果、加算器７１６の出力電圧はｂとなる。
また、例えば、図１１（ｃ）に示すように、リーダ／ライタ装置９が下側から時計１００に近づいた場合には、ＮＦＣ縦アンテナ７ａには磁界が発生し、検波出力Ａの電圧はaとなる。これに対して、ＮＦＣ横アンテナ７ｂは磁化せず、ＮＦＣ横アンテナ７ｂから生じる検波出力Ｂの電圧は０である。その結果、加算器７１６の出力電圧はａとなる。
また、例えば、図１１（ｄ）に示すように、リーダ／ライタ装置９が左斜め下側から時計１００に近づいた場合には、ＮＦＣ縦アンテナ７ａ及びＮＦＣ横アンテナ７ｂにはそれぞれリーダ／ライタ装置９が縦または横から近づいた場合の半分程度の磁界が発生し、検波出力Ａ及びＢからは０．５ａ及び０．５ｂ程度の電圧が出力されることとなる。その結果、加算器７１６の出力電圧は０．５ａ＋０．５ｂとなる。
【００６８】
なお、その他の構成は、第１の実施形態等と同様であることから、同一部材には同一の符号を付して、その説明を省略する。
【００６９】
次に、本実施形態における時計及び通信システムの作用について説明する。
本実施形態では、時計１００にリーダ／ライタ装置９をかざした場合に、ＮＦＣ縦アンテナ７ａ，ＮＦＣ横アンテナ７ｂからの出力信号から検波回路７１４ａ，７１４ｂにより検波波形Ａ及び検波波形Ｂを取得する。
そして、加算器７１６により加算された波形は、スライサ７１７によってデジタル化され、ベースバンド処理部７１３において所定の信号処理が施されて時計制御部１１に出力される。
また、ＮＦＣ縦アンテナ７ａ，ＮＦＣ横アンテナ７ｂから生じた電力はダイオードブリッジが形成された整流回路７１１において加算され、時計電源部１２に送られて、二次電池８１が充電される。
【００７０】
なお、その他の点については、第１の実施形態等と同様であることから、その説明を省略する。
【００７１】
以上のように、本実施形態によれば、第１の実施形態と同様の効果を得られる他、以下の効果を得ることができる。
すなわち、本実施形態では、２つのバーアンテナ７（ＮＦＣ縦アンテナ７ａ，ＮＦＣ横アンテナ７ｂ）を互いに直交するように配置している。
このため、どのような方向からリーダ／ライタ装置９がかざされても、少なくともいずれか一方のバーアンテナ７との間では通信が成立し、電力や信号の送受信が可能な状況となる。
これにより、時計１００の外部からでは位置や向きの分からないバーアンテナ７に対して、特に方向を気にする必要がなく、簡易迅速に時計側のＮＦＣタグ７０とリーダ／ライタ装置９との間での通信を行うことができる。
なおリーダ／ライタ装置９のかざす方向はどの方向でもよいが、利用者の使いやすい方向（例えば８分割の方向）に事前設定させることにより、文字板５の表示はそれとは反対側で行うようにすればよい。
【００７２】
［第４の実施形態］
次に、図１４（ａ）から図１４（ｅ）、図１５、及び図１６を参照しつつ、本発明に係る時計及び通信システムの第４の実施形態について説明する。なお、本実施形態は、バーアンテナ７の数が第３の実施形態と異なるものであるため、以下においては、特に第３の実施形態と異なる点について説明する。
第３の実施形態では、２つのバーアンテナ７（ＮＦＣ縦アンテナ７ａ，ＮＦＣ横アンテナ７ｂ）を互いに直交するように配置する場合を例示したが、バーアンテナ７の数はこれに限定されない。
例えば、本実施形態では、図１４（ａ）に示すように、文字板５の径の半分程度の長さを有するバーアンテナ７を文字板５上に４つ配置する場合を例として説明する。
図１４（ａ）では、縦に２つのバーアンテナ７（ＮＦＣ縦アンテナ７ａ，ＮＦＣ縦アンテナ７ｃ）を直列的に配置し、横に２つのバーアンテナ７（ＮＦＣ横アンテナ７ｂ，ＮＦＣ横アンテナ７ｄ）を直列的に配置して、４つのバーアンテナ７（バーアンテナ７ａ〜７ｄ）が縦横にほぼ十字となるように配置する例を示している。
図１５は、本実施形態におけるＮＦＣタグ７０の要部ブロック図である。本実施形態のように４つのバーアンテナ７（バーアンテナ７ａ〜７ｄ）を設ける場合、変復調回路７１２には、４つの検波回路７１４ａ〜７１４ｄを設けて、各検波回路７１４ａ〜７１４ｄにより、それぞれＮＦＣ縦アンテナ７ａによって受信された信号出力（これを検波波形Ａという）を検波回路７１４ａにより取り出し、ＮＦＣ横アンテナ７ｂによって受信された信号出力（これを検波波形Ｂという）を検波回路７１４ｂにより取り出し、ＮＦＣ縦アンテナ７ｃによって受信された信号出力（これを検波波形Ｃという）を検波回路７１４ｃにより取り出し、ＮＦＣ横アンテナ７ｄによって受信された信号出力（これを検波波形Ｄという）を検波回路７１４ｄにより取り出す。
そして、加算器７１６が検波波形Ａ〜Ｄの加算を行う。そして、加算された波形は、スライサによってデジタル化され、ベースバンド処理部において所定の信号処理が施されて時計制御部１１に出力される。
また、各検波回路７１４ａ〜７１４ｄの出力は、方向判定器７１５に接続され、方向判定器７１５は入力された各検波出力Ａ〜Ｄの電圧の有無に基づきリーダ／ライタ装置９が近づいてきた方向を判定し、その結果は方向判定出力として時計制御部１１に出力される。
図１６は、リーダ／ライタ装置９が時計１００に近づく方向と、ＮＦＣ縦アンテナ７ａ，ＮＦＣ横アンテナ７ｂ、ＮＦＣ縦アンテナ７ｃ、ＮＦＣ横アンテナ７ｄの磁界発生の有無、各検波出力Ａ〜Ｄの電圧、加算器出力、各検波電圧の有無及び方向判定出力の関係を示す表である。
図１６に示すように、例えば、図１４（ｂ）に示すように、リーダ／ライタ装置９が右側から時計１００に近づいた場合には、ＮＦＣ縦アンテナ７ａは磁化せず、ＮＦＣ縦アンテナ７ａから生じる検波出力Ａは０である。また、ＮＦＣ横アンテナ７ｂは磁界が発生し、検波出力Ｂにはｂの電圧が発生する。また、ＮＦＣ縦アンテナ７ｃ及びＮＦＣ横アンテナ７ｄはともに磁化せず、ＮＦＣ縦アンテナ７ｃ及びＮＦＣ横アンテナ７ｄから生じる検波出力Ｃ，Ｄは０である。このため、加算器７１６からの出力は、ｂとなる。また、ＮＦＣ縦アンテナ７ａ，ＮＦＣ横アンテナ７ｂ、ＮＦＣ縦アンテナ７ｃ、ＮＦＣ横アンテナ７ｄからの検波出力Ａ〜Ｄの電圧レベルの有無を方向判定器７１５で解析することで、リーダ／ライタ装置９が時計１００に近づいた方向は右側であるとの判定がなされる。
また、例えば、図１４（ｃ）に示すように、リーダ／ライタ装置９が左側から時計１００に近づいた場合には、ＮＦＣ縦アンテナ７ａ、ＮＦＣ横アンテナ７ｂ及びＮＦＣ縦アンテナ７ｃから生じる検出出力Ａ，Ｂ，Ｃは０である。これに対して、ＮＦＣ横アンテナ７ｄから生じる検出出力Ｄにはｄの電圧が発生する。このため、加減算器７１６からの出力は、ｄとなる。また、ＮＦＣ縦アンテナ７ａ，ＮＦＣ横アンテナ７ｂ、ＮＦＣ縦アンテナ７ｃ、ＮＦＣ横アンテナ７ｄからのこのような検波出力Ａ〜Ｄの電圧レベルの有無を方向判定器７１５で解析することで、リーダ／ライタ装置９が時計１００に近づいた方向は左側であるとの判定がなされる。
この場合、図１４（ｄ）及び図１４（ｅ）に示すように、リーダ／ライタ装置９が時計１００に近づいた方向とは反対側（すなわち、図１４（ｄ）では左側、図１４（ｅ）では右側）は、文字板５がリーダ／ライタ装置９によって覆われておらず、利用者に目視可能な状態となっている。本実施形態では、第３の実施形態と同様にリーダ／ライタ装置９が時計１００に近づく方向を限定する必要がなく、更にリーダ／ライタ装置９が時計１００に近づいた方向を自動的に検出することができるため、リーダ／ライタ装置９が時計１００に近づいた方向とは反対側の領域を利用して、指針５３等により通信状態、充電状態等、時計１００の状態を利用者に通知可能となっている。
【００７３】
なお、以上本発明の実施形態について説明したが、本発明は、かかる実施形態に限定されず、その要旨を逸脱しない範囲で、種々変形が可能であることは言うまでもない。
【００７４】
例えば、上記各実施形態では、リーダ／ライタ装置９側から時計１００側に時刻設定や二次電池８１の充電等を行う場合を例示したが、リーダ／ライタ装置９のＮＦＣ  Ｒ／Ｗ部９０と時計１００側のＮＦＣタグ７０との間での通信によってやり取りできる情報や信号はここに例示したものに限定されない。
例えば、時計１００を識別する識別番号等をＮＦＣタグ７０からＮＦＣ  Ｒ／Ｗ部９０に送って時計１００の機種や個体認証等を行うことができるようにしてもよい。
また、時計１００が、歩数計や距離計、高度計、心拍数計等の機能を有している場合に、歩数計や距離計、高度計、心拍数計等としての計測結果を時計１００内部に記憶、蓄積させておき、リーダ／ライタ装置９が時計１００にかざされたときに、時計１００内部に記憶、蓄積されていたこれらのデータ（履歴等）がリーダ／ライタ装置９の側に転送できるように構成してもよい。
この場合、データ量によってはデータの送受信に多少の時間を要することが考えられるが、文字板５のうちリーダ／ライタ装置９のかざされた側とは反対側の領域により通信状況やデータの転送状況等を通知させることにより、データの転送中に誤って通信が中断してしまう等を防止することができる。また、利用者にとってもどのくらいの間リーダ／ライタ装置９をかざしていればいいのか等の目安が分かり易い。
【００７５】
また、上記各実施形態では、時計１００が指針５３を備えるアナログ方式の時計である場合を例示したが、時計１００はアナログ方式の時計に限定されない。
例えば、時刻やカレンダ情報等の各種情報を文字等により表示させる文字板（例えば、液晶表示部等）を備えるデジタル方式の時計でもよい。また、アナログ方式の表示部及びデジタル方式の表示部の両方を備える文字板を備える時計でもよい。
なお、時計がデジタル方式の表示部を備える場合にも、時計表示部（表示部）５０は、文字板５のうちリーダ／ライタ装置９のかざされた側とは反対側の領域に文字等を表示させることにより、ＮＦＣタグ７０とリーダ／ライタ装置９との通信状態を通知する。
【００７６】
また、上記各実施形態では、時計表示部（表示部）５０が、指針５３の動きや、日付表示の変化や、光源５７の発光を制御することで通信状態を通知させる場合を例示したが、通信状態を通知させる手法は、これに限定されない。例えば時計１００が各種機能を実現するディスク針やムーフェイス表示部等を備える場合、これらの表示部を用いて通信状態の通知を行ってもよい。
【００７７】
また、時計表示部（表示部）５０が通信状態の通知を行うために指針５３や光源５７等を動作させる場合の電力は、時計１００側の二次電池８１から供給されてもよいし、リーダ／ライタ装置９側から供給される電力を用いてもよい。またアプリケーションによる設定等により、両者の電力を選択的又は重畳的に用いてもよい。
【００７８】
また、上記各実施形態では、時計１００はバーアンテナ７を備えているとしたが、文字板５とほぼ平行に配置されていればバーアンテナ７以外のアンテナでも構わない。
【００７９】
さらに、上記各実施形態においては、受信信号の強度に基づいて、リーダ／ライタ装置９とＮＦＣタグ７０との間の通信状態を利用者等に通知する通信状態の通知処理を行う点や、二次電池の充電状態を通知する点について述べたが、利用者等に通知する内容はこれに限定されず、例えば、通信速度、エラーレート等について通知するようにしてもよい。
【００８０】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ケースと、前記ケースの視認側に配置された文字板を含む表示部と、
前記ケース内かつ前記文字板の裏面側に前記文字板とほぼ平行に配置されたアンテナを含み、コイルを備えたリーダ／ライタ装置が、前記文字板の一部の上に重なるようにかざされることにより、前記リーダ／ライタ装置との間で通信可能に構成された通信部と、
前記文字板のうち前記リーダ／ライタ装置のかざされた側とは反対側の領域により、前記通信部と前記リーダ／ライタ装置との通信状態を通知させるように前記表示部の動作を制御する制御部と、
を備えていることを特徴とする時計。
＜請求項２＞
前記アンテナはバーアンテナであり、
前記ケースは導電性部材により形成され、前記文字板は非導電性部材により形成されており、
前記バーアンテナは２本設けられており、互いに直交するように配置されていることを特徴とする請求項１に記載の時計。
＜請求項３＞
前記アンテナはバーアンテナであり、
前記バーアンテナは３本以上設けられ、前記文字板の中心から放射状に配置されていることを特徴とする請求項１に記載の時計。
＜請求項４＞
前記表示部は、指針及び／又は日車を備え、
前記制御部は、前記指針の動き及び／又は前記日車による日付表示の変化を制御することにより前記通信状態を通知させることを特徴とする請求項１から請求項３のいずれか一項に記載の時計。
＜請求項５＞
前記表示部は、前記文字板を照明する光源を備え、
前記制御部は、前記光源の発光を制御することにより前記通信状態を通知させることを特徴とする請求項１から請求項４のいずれか一項に記載の時計。
＜請求項６＞
前記制御部は、前記文字板における０時から６時側の半分の範囲内において前記通信状態を通知させるように前記表示部の動作を制御することを特徴とする請求項１から請求項５のいずれか一項に記載の時計。
＜請求項７＞
二次電池を備え、
前記表示部は、前記二次電池の充電状態を通知可能となっていることを特徴とする請求項１から請求項６のいずれか一項に記載の時計。
＜請求項８＞
前記文字板と前記アンテナとの間に配置され、前記アンテナの両端側の上部が切り欠かれた、又は、穴を開けられたソーラーパネルを備えていることを特徴とする請求項１から請求項７のいずれか一項に記載の時計。
＜請求項９＞
前記ケースは、金属材料を含む枠体と、金属材料を含む裏蓋と、を備えていることを特徴とする請求項１から請求項８のいずれか一項に記載の時計。
＜請求項１０＞
請求項１から請求項９のいずれか一項に記載の時計と、
前記リーダ／ライタ装置と、
を備えていることを特徴とする通信システム。
【符号の説明】
【００８１】
５        文字板
７        バーアンテナ（アンテナ）
８        ソーラーパネル
９        リーダ／ライタ装置
１１      時計制御部（制御部）
１２      時計電源部
５０      時計表示部（表示部）
５３      指針
５５      表示用駆動回路
５６      指針駆動モータ
５７      光源
７０      ＮＦＣタグ（通信部）
７１      ＮＦＣタグ本体
８１      二次電池
９０      ＮＦＣ  Ｒ／Ｗ部
９２      アンテナコイル（コイル）
１００    時計
１０１    時計本体
１２３    充電スイッチ
【図１】
2018066756.tif 000003
【図２】
2018066756.tif 000004
【図３】
2018066756.tif 000005
【図４】
2018066756.tif 000006
【図５】
2018066756.tif 000007
【図６】
2018066756.tif 000008
【図７】
2018066756.tif 000009
【図８】
2018066756.tif 000010
【図９】
2018066756.tif 000011
【図１０】
2018066756.tif 000012
【図１１】
2018066756.tif 000013
【図１２】
2018066756.tif 000014
【図１３】
2018066756.tif 000015
【図１４】
2018066756.tif 000016
【図１５】
2018066756.tif 000017
【図１６】
2018066756.tif 000018
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
ケースと、前記ケースに配置された表示部と、
前記表示部の裏面側に配置されたアンテナを含み、リーダ／ライタ装置が、前記表示部の一部の上に重なるようにかざされることにより、前記リーダ／ライタ装置との間で通信を行う通信部と、
前記通信部と前記リーダ／ライタ装置との通信状態を通知させるように前記表示部の動作を制御する制御部と、
を備えていることを特徴とする電子装置。
【請求項２】
前記表示部は、前記ケースの視認側に文字版を備えていることを特徴とする請求項１に記載の電子装置。
【請求項３】
前記アンテナは前記文字板とほぼ平行に配置されていることを特徴とする請求項２に記載の電子装置。
【請求項４】
請求項１から請求項３のいずれか一項に記載の電子装置と、
前記リーダ／ライタ装置と、
を備えていることを特徴とする通信システム。
【手続補正３】
【補正対象書類名】明細書
【補正対象項目名】０００１
【補正方法】変更
【補正の内容】
【０００１】
本発明は、電子装置に関し、特に無線通信機能を有する電子装置及び通信システムに関するものである。
【手続補正４】
【補正対象書類名】明細書
【補正対象項目名】０００８
【補正方法】変更
【補正の内容】
【０００８】
前記課題を解決するために、本発明に係る電子装置は、
ケースと、前記ケースに配置された表示部と、
前記表示部の裏面側に配置されたアンテナを含み、リーダ／ライタ装置が、前記表示部の一部の上に重なるようにかざされることにより、前記リーダ／ライタ装置との間で通信を行う通信部と、
前記通信部と前記リーダ／ライタ装置との通信状態を通知させるように前記表示部の動作を制御する制御部と、
を備えていることを特徴としている。
【手続補正５】
【補正対象書類名】明細書
【補正対象項目名】０００９
【補正方法】変更
【補正の内容】
【０００９】
また、本発明に係る通信システムは、
請求項１から請求項３のいずれか一項に記載の電子装置と、
前記リーダ／ライタ装置と、
を備えていることを特徴としている。